(57)【特許請求の範囲】
【請求項１】
外窓と、前記外窓に対して室内側に配置される内窓とを備え、
前記外窓は、建物開口部に固定される外窓枠と、前記外窓枠に支持された障子と、前記外窓枠の室内側に配置された額縁とを備え、前記外窓の障子は、上框、下框、左右の縦框および面材を框組みして構成され、
前記内窓は、前記額縁の内周部に取り付けられた内窓枠と、前記内窓枠に支持された障子とを備える後付内窓であり、前記内窓の障子は、上框、下框、左右の縦框および単板の面材を框組みして構成され、
前記内窓の面材の高さ寸法は、前記外窓の面材の高さ寸法よりも小さい寸法とされ、
前記内窓の面材の室内面には、室外側から室内側に向かう斜め下向きの入射光を水平方向よりも上向きに室内側に射出する射出光に配光して拡散する採光用の配光シートが貼り付けられる
ことを特徴とする二重窓。
【請求項２】
請求項１に記載の二重窓において、
前記内窓の障子は、前記内窓枠内にスライド可能に配置される
ことを特徴とする二重窓。
【発明の詳細な説明】
【技術分野】
【０００１】
本発明は、外窓と内窓とを備える二重窓に関する。
【背景技術】
【０００２】
従来、既設窓と、既設窓よりも室内側の既設開口部に後付される内窓とによって構成される二重窓が知られている（特許文献１参照）。この二重窓の既設窓および内窓は、窓枠と、障子とをそれぞれ備えており、各障子は、上框、下框、左右の縦框およびガラスパネルを框組みして構成されている。
この二重窓では、既設窓の障子と内窓の障子との間に中間空間が形成されるので、内窓が後付されていない既設窓と比べて、室内外間の断熱性を向上できる。
【先行技術文献】
【特許文献】
【０００３】
【特許文献１】特開２０１４−１６７２１２号公報
【発明の概要】
【発明が解決しようとする課題】
【０００４】
ところで、特許文献１に記載の二重窓では、室外側から室内側に入射する入射光は既設窓のガラスパネルと内窓のガラスパネルとの双方を透過して射出光として室内空間に射出することとなる。このため、射出光は前記双方のガラスパネルによって照度が弱められ、室内照度を向上することが困難である。
【０００５】
本発明の目的は、断熱性を維持しつつ室内照度を向上できる二重窓を提供することにある。
【課題を解決するための手段】
【０００６】
本発明の二重窓は、外窓と、前記外窓に対して室内側に配置される内窓とを備え、前記外窓は、建物開口部に固定される外窓枠と、前記外窓枠に支持された障子と、前記外窓枠の室内側に配置された額縁とを備え、前記外窓の障子は、上框、下框、左右の縦框および面材を框組みして構成され、前記内窓は、前記額縁の内周部に取り付けられた内窓枠と、前記内窓枠に支持された障子とを備える後付内窓であり、前記内窓の障子は、上框、下框、左右の縦框および単板の面材を框組みして構成され、前記内窓の面材の高さ寸法は、前記外窓の面材の高さ寸法よりも小さい寸法とされ、前記内窓の面材の室内面には、室外側から室内側に向かう斜め下向きの入射光を水平方向よりも上向きに室内側に射出する射出光に配光して拡散する採光用の配光シートが貼り付けられることを特徴とする。
【０００７】
本発明の二重窓によれば、室外側から入射する入射光は、外窓の面材、内窓の面材および配光シートを通って室内空間に射出光として射出される。この射出光は、配光シートによって配光され、室内側に向かう拡散された光とされるため、二重窓の断熱性を維持しつつ、室内照度を向上できる。
また、このような構成によれば、既設の外窓の室外側の環境に対応して、配光シートを備える内窓を後付できる。このため、室外環境の影響を受けて室内温度が変化したり、北面向きや建物などが隣に建築されて室内照度が低くなったりしても、前述した内窓を後付することで、室内外間の断熱性を向上できるとともに、室内照度を向上できる。
加えて、このような構成によれば、例えば内窓の面材の室外面に配光シートが貼り付けられる場合と比べて、配光シートが受ける紫外線を軽減でき、劣化を抑制できる。
また、内窓の面材の室外面に配光シートが貼り付けられる場合には、室内側から配光シートと面材との接着部分が見えることとなるが、本発明のように内窓の室内面に配光シートが貼り付けられることによって、前記接着部分を室内側から見えなくすることができる。
更に、内窓の面材が破損した場合に、当該面材が室内側に飛散することを配光シートによって抑制できる。
【０００８】
本発明の二重窓では、前記内窓の障子は、前記内窓枠内にスライド可能に配置されることが好ましい。
例えば、外窓の面材に配光シートが取り付けられる場合には、内窓と外窓の双方を開放し、室内外空間が連通した状態にしなければ室外を眺望できず、室内外間の断熱状態を維持するのが困難である。
これに対し、前述した本発明の二重窓では、内窓の各面材に配光シートが取り付けられるため、障子をスライドさせて内窓を開放することで、外窓を開放することなく室外を眺望できる。このため、室外を眺望しても、室内外空間が連通することなく室内外間の断熱状態を維持できる。
また、障子をスライドして内窓を開放する場合には、当該開放部分では室外側からの入射光が配光シートによって配光されないまま室内空間を照らすため、入射光を拡散できずに室内照度を向上し難くなる。一方で、内窓の面材と障子の面材とが室内外間で対向配置されるため、入射光は両面材に取り付けられる両配光シートに配光、拡散されて室内空間に射出光として射出される。これにより、二つの配光シートを通じてさらに拡散した射出光にでき、室内照度を補うことができる。
【発明の効果】
【００１１】
本発明によれば、断熱性を維持しつつ室内照度を向上できる二重窓を提供することにある。
【図面の簡単な説明】
【００１２】
【図１】本実施形態に係る二重窓を示す横断面図。
【図２】図１のＩＩ−ＩＩ線に沿って示す縦断面図。
【図３】図１のＩＩＩ−ＩＩＩ線に沿って示す縦断面図。
【発明を実施するための形態】
【００１３】
［本実施形態の構成］
以下、本発明の実施形態を図面に基づいて説明する。
図１〜３において、本実施形態に係る二重窓１は、建物開口部Ａに設置される既設窓である外窓２と、外窓２の室内側に配置される内窓１０とを備えており、外窓２と内窓１０との間に中間空間Ｓが形成されている。
【００１４】
外窓２は、建物開口部Ａに固定される外窓枠３（窓枠）と、外窓枠３に支持される一対の障子４と、外窓枠３の室内側に配置された既設開口部としての額縁５とを備えている。
【００１５】
外窓枠３は、それぞれアルミ押出し形材によって形成された上枠３１、下枠３２および左右の縦枠３３を枠組みして構成され、一対の障子４は、それぞれアルミ押出し形材によって形成された上框４１、下框４２、左右の縦框４３および単板のガラスパネル４４（面材）を框組みして構成されている。外窓２は、外窓枠３の内部に一対の障子４が左右引き違い形式にスライド開閉可能に支持された引き違い窓である。
上枠３１、下枠３２および左右の縦枠３３は、それぞれ一対の障子４および図示しない網戸を支持する枠本体部３１１，３２１，３３１を有する。枠本体部３１１，３２１，３３１は、ビス３０で建物開口部Ａに固定されている。
額縁５は、上額縁材５Ａ、下額縁材５Ｂおよび左右の縦額縁材５Ｃを備え、かつ、建物開口部Ａに取り付けられている。
【００１６】
内窓１０は、額縁５の内周部に取り付けられる内窓枠１２（窓枠）と、内窓枠１２に支持される一対の障子１３と、額縁５と内窓枠１２との間の隙間に設けられるスペーサ６とを備えている。
内窓枠１２は、それぞれ樹脂製の上枠１４、下枠１５および左右の縦枠１６を有し、一対の障子１３は、それぞれ樹脂製の上框１３Ａ，下框１３Ｂ、左右の縦框１３Ｃおよび単板のガラスパネル１３Ｄ（面材）を框組みしてそれぞれ構成されている。
内窓１０は、外窓２と同様に、内窓枠１２の内部に一対の障子１３が左右引き違い形式にスライド開閉可能に支持された引き違い窓（樹脂窓）である。
【００１７】
上枠１４は、上額縁材５Ａの見込み方向におけるベース部１４１と、ベース部１４１から下方に向けて突出し二つの障子１３の上端縁をそれぞれ案内する一対の上レール部１４２とを有する。
ベース部１４１と上額縁材５Ａとの間の所定位置にはスペーサ６が配置されている。ベース部１４１は、ビス１４０によってスペーサ６ごと上額縁材５Ａに固定されている。ビス１４０は、ベース部１４１の中心位置である一対の上レール部１４２の間から上額縁材５Ａに打ち込まれる。
【００１８】
下枠１５は、下額縁材５Ｂの見込み方向に延びるベース部１５１と、ベース部１５１から上方に向けて突出し二つの障子１３の下端縁をそれぞれ案内する一対の下レール部１５２とを有する。
ベース部１５１は、下額縁材５Ｂに直接配置されており、一対の下レール部１５２の間においてビス１５０によって下額縁材５Ｂに固定されている。
【００１９】
縦枠１６は、縦額縁材５Ｃの見込み方向に延びるベース部１６１と、ベース部１６１の室外側、中間位置、室内側から突出する三つの突出片部１６２，１６３，１６４とを有する。
【００２０】
ベース部１６１は、スペーサ６ごと縦額縁材５Ｃにビス１６０で固定されている。ビス１６０は、隣合う突出片部１６２，１６３との間、ならびに、隣合う突出片部１６３，１６４の間から、それぞれ縦額縁材５Ｃに向けて打ち込まれる。
【００２１】
外窓２が建物開口部Ａに設置されるのに対し、内窓１０は、建物開口部Ａ内の額縁５に設置されるため、内窓１０の高さ寸法および幅寸法は、外窓２の高さ寸法および幅寸法よりも小さく設定されている。この設定に対応して、内窓１０の各ガラスパネル１３Ｄの高さ寸法および幅寸法も、外窓２の各ガラスパネル４４の高さ寸法および幅寸法よりも小さく設定されている。このため、外窓２の各ガラスパネル４４を透過した図２，３に示す入射光２５のうち内窓１０の各ガラスパネル１３Ｄの面領域外にあるものは室内空間にとどくことがない。従って、二重窓１は、内窓１０を後付せずに外窓２だけある場合と比べ、室内照度が低下する傾向にある。
【００２２】
前述した二重窓１では、各ガラスパネル１３Ｄの室内面の全体に採光用の配光シート２０がそれぞれ接着剤によって貼り付けられている。
ここで、配光シート２０は、樹脂製のリニアフレネルレンズによって形成されており、室外側から室内側への自然光などの入射光を配光して拡散する構成とされている。配光シート２０を構成する樹脂材料は、アクリル樹脂、ポリカーボネート樹脂、塩化ビニル樹脂などである。
配光シート２０は、室外側から室内側に向かう斜め下向きの入射光であって水平方向に対する角度が最大角度となる図２，３に示す入射光２５を当該配光シート２０から水平方向よりも上向きに室内側に射出する図２，３に示す射出光２６に配光可能な構成とされている。このため、前述した斜め下向きの入射光であっても、配光シート２０によって水平方向よりも上向きに配光することで、室内における目線高さ照度や天井面照度を向上できる。
【００２３】
［本実施形態の施工］
以下、本実施形態に係る二重窓１において、内窓１０を後付する手順について説明する。
まず、ガラスパネル１３Ｄの室内面に配光シート２０が貼り付けられた各障子１３を準備する。次に、既設の額縁５に内窓枠１２を挿入し、額縁５と内窓枠１２との隙間にスペーサ６を挿入する。続いて、上枠１４、下枠１５および左右の縦枠１６をビス１４０，１５０，１６０によって上額縁材５Ａ，下額縁材５Ｂおよび左右の縦額縁材５Ｃに固定する。
次に、各障子１３を内窓枠１２内にケンドン式でそれぞれ吊り込む。このようにして、内窓１０を外窓２よりも室内側の位置に後付する。
【００２４】
［本実施形態の効果］
（１）本実施形態では、二重窓１は、外窓２と、外窓２に対して室内側に配置される内窓１０とを備え、外窓２は、外窓枠３と、外窓枠３内に配置される障子４のガラスパネル４４とを備え、内窓１０は、内窓枠１２と、内窓枠１２内に配置される障子１３のガラスパネル１３Ｄとを備え、内窓１０のガラスパネル１３Ｄには、室外側から室内側に入射する入射光２５を配光する採光用の配光シート２０が取り付けられることを特徴とする。
上記構成を有するため、室外側から二重窓１に入射する入射光２５は、外窓２のガラスパネル４４、内窓１０のガラスパネル１３Ｄおよび配光シート２０を通って室内空間に射出光２６として射出される。この射出光２６は、配光シート２０によって配光され、室内側に向かう拡散された光とされるため、二重窓１の断熱性を維持しつつ、室内照度を向上でき、採光性を向上できる。
さらに、本実施形態では、以下の各効果を発揮できる。
（２）内窓１０は、内窓枠１２内にスライド可能に配置される各障子１３を備え、前記障子１３のガラスパネル１３Ｄには、配光シート２０が取り付けられる。
このため、例えば、外窓２のガラスパネル４４に配光シート２０が取り付けられる場合には、内窓１０と外窓２の双方を開放し、室内外空間が連通した状態にしなければ室外を眺望できず、室内外間の断熱状態を維持するのが困難である。
これに対し、二重窓１では、内窓１０の各ガラスパネル１３Ｄに配光シート２０が取り付けられるため、障子１３をスライドさせて内窓１０を開放することで、外窓２を開放することなく室外を眺望できる。このため、室外を眺望しても、室内外空間が連通することなく室内外間の断熱状態を維持できる。
また、障子１３をスライドして内窓１０を開放する場合には、当該開放部分では室外側からの入射光２５が配光シート２０によって配光されないまま室内空間を照らすため、入射光２５を拡散できずに室内照度を向上し難くなる。一方で、内窓１０の各ガラスパネル１３Ｄ同士が室内外間で対向配置されるため、入射光２５は両ガラスパネル１３Ｄに取り付けられる両配光シート２０に配光、拡散されて室内空間に射出光２６として射出される。これにより、二つの配光シート２０を通じてさらに拡散した射出光２６にでき、室内照度を補うことができる。
（３）内窓１０は、建物開口部Ａにおいて前記外窓２よりも室内側に後付される後付内窓である。
このため、既設の外窓２の室外側の環境に対応して、配光シート２０を備える内窓１０を後付できる。このため、室外環境の影響を受けて室内温度が変化したり、北面向きや建物などが隣に建築されて室内照度が低くなっても、前述した内窓１０を後付することで、室内外間の断熱性を向上できるとともに、室内照度を向上できる。
（４）配光シート２０は、内窓１０のガラスパネル１３Ｄの室内面に貼り付けられる。
このため、例えば内窓１０のガラスパネル１３Ｄの室外面に配光シート２０が貼り付けられる場合と比べて、配光シート２０が受ける紫外線を軽減でき、劣化を抑制できる。
また、内窓１０のガラスパネル１３Ｄの室外面に配光シート２０が貼り付けられる場合には、室内側から配光シート２０とガラスパネル１３Ｄとの接着部分が見えることとなるが、本実施形態のように内窓１０の室内面に配光シート２０が貼り付けられることによって、前記接着部分を室内側から見えなくすることができる。
さらに、内窓１０のガラスパネル１３Ｄが破損した場合に、当該ガラスパネル１３Ｄが室内側に飛散することを配光シート２０によって抑制できる。
【００２５】
［変形例］
本発明は、以上の実施形態で説明した構成のものに限定されず、本発明の目的を達成できる範囲での変形例は、本発明に含まれる。
例えば、前記実施形態では、内窓１０の二つの障子１３のガラスパネル１３Ｄに配光シート２０がそれぞれ貼り付けられているが、これに限られず、二つの障子１３のいずれか一方の障子のガラスパネル１３Ｄのみに配光シート２０が貼り付けられていてもよい。
【００２６】
前記実施形態では、ガラスパネル１３Ｄの室内面に配光シート２０が貼り付けられているが、これに限られず、ガラスパネル１３Ｄの室外面に配光シート２０が貼り付けられていてもよい。
また、前記実施形態では、面材として単板のガラスパネル１３Ｄが採用されているが、これに限られず、複層のガラスパネルを採用してもよい。この場合、配光シート２０は、複層のガラスパネルのうち室外側に位置するガラスパネルの室内面に貼り付けられてもよく、また、室内側に位置するガラスパネルの室内面に貼り付けられてもよい。
【００２７】
前記実施形態では、ガラスパネル１３Ｄの室内面の全体に配光シート２０が貼り付けられているが、これに限られず、ガラスパネル１３Ｄの室内面に部分的に配光シート２０が貼り付けられていてもよい。例えば、ガラスパネル１３Ｄの室内面の上側部分または下側部分に貼り付けられていてもよく、また、ガラスパネル１３Ｄの室外面のうち目線高さ部分を除いた全体に配光シート２０が貼り付けられていてもよい。
【００２８】
前記実施形態では、外窓２が既設窓であって内窓１０が後付内窓とされる二重窓１によって構成されているが、これに限られず、外窓２と、後付ではなく当初から設置される内窓１０とを備える二重窓によって構成されていてもよい。
【００２９】
前記実施形態では、外窓２および内窓１０がともに引き違い窓である場合を例示したが、本発明の二重窓としては、外窓２および内窓１０における面材の開閉形式は特に限定されるものではなく、例えば、外窓が片引き窓や開き窓、外倒し窓、上げ下げ窓、縦または横のすべり出し窓などであってもよく、内窓１０が片引き窓や引分け窓、内開き窓、うち倒し窓、上げ下げ窓などであってもよい。
【符号の説明】
【００３０】
１…二重窓、２…外窓、３…外窓枠（窓枠）、４，１３…障子、５…額縁、５Ａ…上額縁材、５Ｂ…下額縁材、５Ｃ…縦額縁材、６…スペーサ、１０…内窓、１２…内窓枠（窓枠）、１３Ａ，４１…上框、１３Ｂ，４２…下框、１３Ｃ，４３…縦框、１３Ｄ，４４…ガラスパネル（面材）、１４，３１…上枠、１５，３２…下枠、１６，３３…縦枠、２０…配光シート、２５…入射光、２６…射出光、３０，１４０，１５０，１６０…ビス、１４１，１５１，１６１…ベース部、１４２…上レール部、１５２…下レール部、１６２，１６３，１６４…突出片部、３１１，３２１，３３１…枠本体部、Ａ…建物開口部、Ｓ…中間空間。
【図１】
0006563824.tif 000002
【図２】
0006563824.tif 000003
【図３】
0006563824.tif 000004